(57)【特許請求の範囲】
【請求項１】
食器棚が、食器棚を上方側食器収納部と下方側調理器具収納部に仕切る中板と、該中板の下面側にあって同中板の下面側を覆う調湿用の機能板とを備えてなり、上記中板の前端部に取り付けられ、上面側にレール部を有して引戸を走行可能に支持するとともに、後端側上部に上記中板の前端部前端面および前端部上面を覆う状態で当該中板の前端部に取り付けられる鉤状のレール部材取り付け部を、下部側に上記機能板の前端部を嵌合支持する機能板支持部を設けてなる食器棚用のレール部材であって、上記機能板の前端部を嵌合支持する機能板支持部を、上記レール部材の後端側下部から前端側下部に亘って延びる断面鉤状の機能板嵌合用の凹部と、該機能板嵌合用の凹部の前端部下端にあって、上部側断面鉤状の機能板嵌合用の凹部とともに断面コの字状の機能板嵌合部を形成する嵌合支持片とから構成し、上記機能板の前端部を上記機能板嵌合用の凹部の凹部面に内接させて上記レール部材の前端側まで延設し、同前端側で上記機能板嵌合部内に嵌合固定することにより支持したことを特徴とする食器棚用のレール部材。
【発明の詳細な説明】
【技術分野】
【０００１】
本願発明は、食器棚用のレール部材の構造に関し、さらに詳しくは、食器棚を上下に仕切る中板の下面側に中板を蒸気から保護する機能板を備えた食器棚に適用されるレール部材の構造に関するものである。
【背景技術】
【０００２】
食器棚の中には、例えば図５に示すように、上方側に茶碗や皿などの食器収納部Ａ、下方側に電子レンジや電気炊飯器、電気ポットなどの調理器具収納部Ｂが設けられ、それらを上下方向に仕切る中板５の前端部５ａ部分にレール部材２を設け、該レール部材２を介して、上記食器収納部Ａの前部にガラス製その他の構成の引戸１Ａ，１Ｂを設けたものがある（特許文献１の図１０を参照）。この場合、調理器具収納部Ｂは、前面側が開放されている。
【０００３】
一方、レール部材２は、例えば図６に示すように、断面Ｖ状のレール溝２ａ，２ｂを備えたフラットなレール部２Ａと、該レール部２Ａの後端部側に一体に設けられた断面鉤状のレール部材取り付部２Ｂとからなり、レール部２Ａの前端部（前端面）ａの下端から上記レール部材取り付け部２Ｂの下端（レール部材後端部の下端）ｂまでの下面部分２Cは、上記レール部２Ａの上面と平行なフラット面となっている。
【０００４】
そして、該レール部材２は、上記レール部材２後端部の下端側から上記レール部２Ａの垂直方向上方に延びる上記レール部材取り付け部２Ｂの縦壁部２１および同縦壁部２１の上端から水平方向後方に伸びる上片部２２を、上記食器棚側の中板５の前端部（前端面および上面）５ａに対して衝合し、上記上片部２２に設けたビス穴７，７・・・を介して木ネジ４，４・・・で締結固定することによって中板５の前端部に取り付けられている（第１の従来例として、特許文献１の図１１の構成を参照）。
【０００５】
ところが、以上のような食器棚の場合、上記中板５は合板等木製部材であるのが通常であり、その下面部分は、電気炊飯器等の調理器具から出る蒸気によって加湿され、損傷されやすい。また、結露を生じ、カビ等も発生しやすい。このため、上記中板５の下面側には、例えば図６に示すように、調湿、防カビ、抗菌機能等をもった調湿性の高い機能板（例えば、珪酸カルシウム板等をベースに、天然鉱物のバーミキュライト、珪藻土などを配合した調湿性にすぐれた板材）８が設けられる（特許文献１の図１１の構成を参照）。
【０００６】
ところが、そのような構成を採用した場合、当該機能板８は、上記食器棚本体の左右両側板部分に設けたダボ等で支持されることになるが、図６から明らかなように、その前端部８ａの端面（小口部分）が、そのまま前方から見えるので見映えが悪いとともに、前端部８ａと中板５の前端部５ａとの間の隙間がシールされていないために、同隙間内に下方からの蒸気が侵入する。また、前後方向に幅の広いレール部材２の下面に生じた結露水も、同様に機能板８の前端部８ａと中板５の前端部５ａとの間の隙間に侵入する。したがって、やはり中板５が損傷されてしまう。
【０００７】
さらに、機能板８は、少なくとも左右２カ所をダボ等で食器棚側板に係止する必要があるので、組み付け作業が手間であるとともに、前端部が支持されていないために組付後の安定性も悪い。
【０００８】
そこで、このような問題を解決するために、本願発明者は、例えば図７に示すように、レール部材２自体に機能板８の支持部２０を設けて、機能板８の前端部８aを支持することにより、機能板８前端部のシール性のある支持を可能とするとともに、中板５および機能板８の前端部８aを共にカバーできるようにした食器棚用のレール部材を提案した（第２の従来例として、特許文献１の図３の構成を参照）。
【０００９】
このレール部材２は、例えば図７に示すように、断面U状のレール溝２ａ，２ｂを備えた上面部側がフラットなレール部２Ａと、該レール部２Ａの後端部側に一体に設けられた断面鉤状のレール部材取り付け部２Ｂと、該レール部材取り付け部２Ｂの下端側に設けられた機能板嵌合２０とからなり、レール部２Ａの前端部（前端部前面）ａから後端部側レール部材取り付け部２Ｂの下端部ｂまでの下面部分２ｃは、円弧状に大きく膨らんで曲成した傾斜面（曲面）となっている。
【００１０】
このように、レール部材２の下面部２ｃの全体が、円弧状に大きく曲成された傾斜面となっていると、後述するように、当該レール部材２を中板５および機能板８に取り付けた図示状態において、上記レール部２Ａ上に上方から下方に向けて作用する引戸１Ａ，１Ｂの荷重が、同傾斜面を介して水平方向（中板５および機能板８の方向）に分散されるようになり、レール部材２の支持剛性がアップする。
【００１１】
また、同レール部材２部分を前方側（食器棚正面側）から見た時に、全体として丸味を帯びたソフトなイメージを与えることができ、上下方向の厚みを感じさせないスリムなものになる。
【００１２】
レール部２Ａには、その前後方向（幅方向）に所定の間隔を置いて前後２本の断面U状のレール溝２ａ，２ｂが設けられており、これら各レール溝２a、２ｂに対して、引き戸１A,１B下端の合成樹脂製ローラ９ａ,９ｂ、９ａ,９ｂが走行可能に係合される。レール部材取り付け部２Ｂは、中板５の前端部５ａの前面に当接される当接面である縦壁部２１と該縦壁部２１の上端から後方側中板５の前端部５ａの上面側に延びて当接される当接面である上片部２２とからなり、上片部２２の長手方向所定の位置には、中板５に対してビスネジ４，４・・・を挿通して螺合締結するビス穴７，７・・・が設けられている。そして、同ビス穴７，７・・・を利用して、当該レール部材２のレール部材取り付け部２Ｂが、中板５の前端部（前端面および上面）５ａに対して取り付けられている。なお、中板５にはネジ穴５ａが設けられており、その下部側には、金属製のメネジ溝を形成した金属製のスリーブ５が嵌装固定されており、それを利用してビスネジ４，４・・・が螺合されている。
【００１３】
一方、上記レール部材取り付け部２Ｂにおける上記縦壁部２１の下端部には、上記のように機能板８の支持部としての断面コ字形の機能板嵌合部２０が設けられている。そして、この機能板嵌合部２０に上記中板５の下面側に重合された機能板８の前端部８aの前端が嵌合されて支持されている。
【００１４】
この発明の構成の場合、機能板８は、上記のように、その前端部８ａの前端が上記レール部材２の後端に設けられた機能板嵌合部２０によって嵌合状態で支持され、後端部側のみがダボ等で支持される。したがって、左右の側板６ａ，６ｂの前後各２ケ所にダボ等で係止する構成の場合に比べて、その取り付け構造、取り付け作業が遥かに簡単になる。しかも、取り付け状態が安定する。
【００１５】
しかも、同取り付け状態において、上記レール部材２が、上記中板５の端部面はもちろん、上記機能板８の前端部面をも確実に前方から見えない状態にカバーし、同状態において、レール部２Ａのレール溝２ａ，２ｂ上に、左右一対の引戸１Ａ，１Ｂが合成樹脂製ローラ９ａ，９ｂ、９ａ，９ｂを介して走行可能に係合される。
【００１６】
このような構成によると、レール部材２そのものが、調湿手段としての機能板８を、その前端部５ａ側をシールし、かつ中板５の下部に重合する形で確実に嵌合支持するようになり、機能板８の食器棚本体への取り付けが後端側だけで良くなると同時に、レール部材２が中板５の前端部５aおよび機能板８の前端部８aをそれぞれ確実にカバーし、それらが前方からは全く見えないようになる。また、機能板８の前端部８ａがレール部材２によって確実にシールされ、調理器具収納部Ｂ側からの蒸気やレール部材２の下面に生じた結露水が中板５と機能板８との間の隙間に入り込むようなこともなくなる。その結果、中板５の耐久性が向上する。
【００１７】
さらに、この発明の構成の場合、レール溝２ａ，２ｂの底部とレール部材２の下面部２ｃとは、上下に長い縦壁構造の支持壁２３，２４で連結一体化されている。したがって、一応引戸１Ａ，１Ｂの走行部であるレール部２Ａ（レール溝２ａ，２ｂ）部分の支持剛性も確保される。
【先行技術文献】
【特許文献】
【００１８】
【特許文献１】特開２００８−２７４６５６号公報
【発明の概要】
【発明が解決しようとする課題】
【００１９】
ところが、実際に製造し、使用していると、以上のような構成の場合にも、次のような幾つかの問題があることが判明した。
【００２０】
すなわち、上述のような構成にすると、中板５の下面部分を調理器具側の蒸気から保護することはできる。
【００２１】
しかし、同構成の場合、機能板８の調湿機能が作用するのは、あくまでも中板５の下面に対応したエリアだけであり、アルミ等の金属よりなり、前後方向に広い幅を有するレール部材２の下面部２ｃ部分は滑らかな金属面であり、調湿性（吸湿性）は全く備えていない。したがって、同部分で蒸気の結露が生じやすい点は全く変わっていない。しかも、図７の構成の場合、同下面部２ｃ部分は、当該レール部材２の前端部側から後端部側にかけて大きく円弧面上に曲成されているために、凝縮した結露水が次第に後端側（調理器具収納部Ｂ側）に集まって流れ落ちる新たな問題が生じる。
【００２２】
また、そのように下面部２ｃ部分を、当該レール部材２の前端部から後端部にかけて大きく円弧面上に曲成させると、レール溝２ａ，２ｂの底部とレール部材２の下面部２ｃとを上下に連結している上下方向の支持壁（縦壁）２３，２４の上下方向の長さが長くなり、それだけ高価なアルミ材が多く必要になり、コストがかかる。また、その結果、レール部材２内部の空間部（共鳴空間）の容積も大きくなるので、振動が生じやすく、引戸走行時の騒音（空洞共鳴による共鳴音）が発生しやすい問題もある。
【００２３】
特に、この発明の構成の場合、レール部材２が、後端側縦壁部２１の一面だけで中板５および機能板８の前端に固定されているだけで、上下部分の全体が殆ど空間中に浮いた状態となっている。したがって、引戸走行時のローラ部材回転による振動が加わると、振動しやすく、内部空間容積が広いため空洞共鳴を発生しやすい。
【００２４】
したがって、この点でも、レール部材２の板厚を薄くするには限界があり、レール部材のコストを削減しにくかった。
【００２５】
本願発明は、このような問題を解決するためになされたもので、上記同様の食器棚用のレール部材において、機能板の前端部を嵌合支持する機能板嵌合用の凹部をレール部材の下部側においてレール部材の後端側から前端側にかけて設けるとともに、それに対応して機能板の前端部を同機能板嵌合用凹部の前端側まで延ばし、レール部材の下部側を支持する状態で嵌合固定した食器棚用のレール部材を提供することを目的とするものである。
【課題を解決するための手段】
【００２６】
本願発明は、上記の目的を達成するために、次のような課題解決手段を備えて構成されている。
【００２７】
（１）  請求項１の発明の課題解決手段
この発明の課題解決手段は、食器棚が、食器棚を上方側食器収納部と下方側調理器具収納部に仕切る中板と、該中板の下面側にあって同中板の下面側を覆う調湿用の機能板とを備えてなり、上記中板の前端部に取り付けられ、上面側にレール部を有して引戸を走行可能に支持するとともに、後端側上部に上記中板の前端部前端面および前端部上面を覆う状態で当該中板の前端部に取り付けられる鉤状のレール部材取り付け部を、下部側に上記機能板の前端部を嵌合支持する機能板支持部を設けてなる食器棚用のレール部材であって、上記機能板の前端部を嵌合支持する機能板支持部を、上記レール部材の後端側下部から前端側下部に亘って延びる断面鉤状の機能板嵌合用の凹部と、該機能板嵌合用の凹部の前端部下端にあって、上部側断面鉤状の機能板嵌合用の凹部とともに断面コの字状の機能板嵌合部を形成する嵌合支持片とから構成し、上記機能板の前端部を上記機能板嵌合用の凹部の凹部面に内接させて上記レール部材の前端側まで延設し、同前端側で上記機能板嵌合部内に嵌合固定することにより支持したことを特徴としている。
【００２８】
このような構成によると、レール部材が、その後端側上部のレール部材取り付け部によって、中板に対して中板の前端部前端面および前端部上面を覆う状態で確実に取り付けられるとともに、同取り付け状態において、その後端側下部から前端側下部に亘って延びる断面鉤状の機能板嵌合用の凹部と同機能板嵌合用の凹部の前端側下部に設けられた機能板支持片によって、調湿機能を有する機能板を中板の下面部からレール部材の前端側下面部まで幅広く（長く）延設した状態で確実に嵌合支持するようになる。
【００２９】
その結果、従来だと結露が生じていたレール部材の下面部分が調湿機能のある機能板によって広くカバーされ、確実に結露自体が生じないようになる。また、中板に対するレール部材の取り付け状態、レール部材に対する機能板の取り付け状態がより安定するとともに、中板下面およびレール部材下面に対する機能板の取り付けも容易になる。
【００３０】
また、同構成の場合、従来のものに比べて機能板の前端部がレール部材の前端側に長く突出するが、同前端側に突出する機能板は、レール部材の下部に上方に窪んで形成された断面鉤状の機能板嵌合用の凹部内に嵌合される形でレール部材の下部に支持されているので、レール部材取り付け部によって中板の前端部がカバーされることはもちろん、機能板嵌合用の凹部によって機能板の前端部が確実にカバーされ、従来同様に前方からは全く見えないようになる。
【００３１】
また、機能板嵌合用の凹部の前端部下端には機能板の前端部下面を嵌合支持する支持片が設けられていて、機能板嵌合用の凹部の凹部面とともに断面コの字状の嵌合部を形成して、機能板の前端部を確実に嵌合するので、機能板の前端部が確実にシールされ、調理器具収納部側からの蒸気が中板との間の隙間に入り込むこともなくなる。
【００３２】
また、機能板嵌合用の凹部が断面鉤状に窪んでレール部材の後端側から前端側まで延設されていることから、同機能板嵌合用の凹部の容積分だけレール部材の金属素材量を少なくすることができ、レール部材のコストダウンを図ることができる。
【００３３】
また、その結果、機能板嵌合用の凹部を設けたレール部材部分の上下方向の厚みを小さくすることができ、各レール溝下部部分の支持壁部の長さを短くすることができ、内部空間の容積も小さくすることができるので、レール部材の振動が生じにくくなり、引戸走行時の騒音（共鳴音）も生じにくくなる。
【００３４】
特に、この発明の構成の場合、上記走行時の振動が生じやすいレール溝およびレール溝を支持する支持壁部の下部側に位置して断面鉤状の機能板嵌合用の凹部を設け、同凹部内に調湿性のある機能板を嵌合してレール溝およびレール溝支持用の支持壁部を広面積で密着支持している。したがって、機能板が振動吸収材、吸音材としても有効に機能し、非常に走行音の低いレール構造を実現することができる。
【００３５】
また、機能板は一般に所定値以上の厚さを有することから、嵌合された機能板そのものが中板とともにレール部材下部側の支持部材としても有効に機能するようになり、レール部材の剛性補強機能をも発揮する。そのため、レール部材の板厚を可能な限り薄くすることも可能となり、薄くしても上述のように走行音を発生しにくいことから、この点でもレール部材の材料コスト低減に寄与することができる。
【発明の効果】
【００３６】
以上の結果、本願発明によると、第２の従来例に係る食器棚用のレール部材同様のデザイン性、機能性、組付性を備えながら、しかも、その欠点であるレール部材下面部側の結露発生を確実に解消し、かつ全体として金属材料の使用量を減らし、さらには走行時の共鳴音をも生じさせない、食器棚用のレール部材をより低コストに提供することができるようになる。
【図面の簡単な説明】
【００３７】
【図１】本願発明の実施の形態に係る食器棚用のレール部材を用いた食器棚の全体構成を示す正面図である。
【図２】同食器棚の全体構成を示す右側面図である。
【図３】同食器棚における食器棚用のレール部材の要部の構成（中板および機能板との結合構造）を示す横断面図である。
【図４】同食器棚用のレール部材の長手方向の一部を切断して、その断面構造を示す斜視図である。
【図５】第１の従来例に係る食器棚用のレール部材を用いた食器棚の全体構成を示す右側面図である。
【図６】第１の従来例に係る食器棚用のレール部材を用いた食器棚の要部の構成（中板および機能板との結合構造）を示す断面図である。
【図７】第１の従来例の問題点を解決した第２の従来例に係る食器棚用のレール部材の要部の構成（中板および機能板との結合構造）を示す断面図である。
【発明を実施するための形態】
【００３８】
図１および図２は、本願発明の実施の形態に係る食器棚用のレール部材を用いて構成した食器棚の正面側および側面側から見た構成、図３は、本願発明の実施の形態に係る食器棚用のレール部材を上記食器棚側の中板および機能板に取り付けた状態の構成、図４は、本願発明の実施の形態に係る食器棚用のレール部材自体の構成を、それぞれ示している。
（１）食器棚の構成：図１、図２を参照
本願発明の実施の形態における食器棚は、例えば図１（正面図）および図２（右側面図）に示すように、左右一対の両側板６ａ，６ｂ、上板６ｃ、底板６ｄ、背板６ｅを備えた所定の奥行き寸法の箱状体よりなり、その上下方向略中間部分に設けられた中板５を介して、上方側に茶碗や皿などの食器収納部Ａ、下方側に電子レンジや電気炊飯器、電気ポットなどの調理器具収納部Ｂが設けられている。
【００３９】
中板５は、例えば食器棚本体の左右両側板６ａ，６ｂ部分に設けられたダボによって食器棚本体に固定支持されており、その下面側には調湿機能を備えた機能板８が設けられている。中板５の前端部には、左右両方向に伸びてアルミ等金属製のレール部材２が取り付けられており、機能板８は、その後端側が背板６eにダボ等で支持される一方、前端側が同レール部材２に嵌合されて支持されている。
【００４０】
そして、上記レール部材２のレール部２Ａ上には、上記食器収納部Ａの前部に位置する形で、引き違い構造のガラスその他の素材よりなる左右一対の引戸１Ａ，１Ｂが走行可能に並設されている。
【００４１】
また、上記食器収納部Ａは、縦方向の仕切板１１ａを介して左右２室に仕切られ、それら左右各室内には、例えば着脱可能なダボ１１ｃ，１１ｃ・・・、１１ｃ，１１ｃ・・・を利用して中棧１１ｂ，１１ｂ・・・、１１ｂ，１１ｂ・・・が高さ調節可能な状態で設けられている。一方、上記調理器具収納部Ｂは、何らカバー部材が設けられることなく、前面側に完全に開放されている。
（２）レール部材の具体的な構成：図３、図４を参照
レール部材２は、左右方向（長手方向）および前後方向（幅方向）共に略フラットな形状で前後方向（幅方向）に所定の幅を有するレール部２Ａと、該レール部２Ａの後端部において上下方向に伸びて設けられたレール部材取り付け部２Ｂと、上記レール部２Ａの下部側に設けられた機能板支持部２Dとからなっている。
【００４２】
レール部２Ａには、その前後方向（幅方向）に所定の間隔を置いて前後２本のレール溝２ａ，２ｂが設けられており、これら各レール溝２a、２ｂに対して、後述するように引戸１Ａ，１Ｂ下端側の合成樹脂製ローラ９a,９ｂ、９a,９ｂ部分が走行可能に嵌合されている。
【００４３】
次にレール部材取り付け部２Ｂは、食器棚本体の上下方向略中間部分に設けられている中板５の前端部５ａの前面に当接される当接面である中板５の板厚と同じ高さの縦壁部２１と該縦壁部２１の上端から中板５の前端部５ａの上面側後方に所定の長さ直角に折り曲げられて当接される上片部２２とからなり、該上片部２２の後方側所定の位置には、中板５側のネジ穴５ｂに対してビスネジ４，４・・・を挿通して螺合締結されるビス穴７，７・・・が設けられている。そして、同ビス穴７，７・・・を利用して、レール部材２のレール部材取り付け部２Ｂが、中板５の前端部５ａ部分に締結固定される（図３参照）。
【００４４】
このレール部材２の取り付けに関し、中板５のネジ穴５ｂの下部側には、内側に金属製のメネジ溝を形成した金属製のスリーブ５ｃが嵌装固定されており、それを利用してネジ穴５ｂ内に挿入されたビスネジ４，４・・・を螺合することにより、確実な締結状態が実現されるようになっている。
【００４５】
一方、機能板支持部２Dは、レール部材２におけるレール部２Ａの下部側にあって、レール部材取り付け部２Ｂの縦壁部２１部分の下端部分からレール部２Ａの前端側レール溝２aの支持壁２０の下端部分までに亘って設けられている。この機能板支持部２Dは、たとえばレール部材２本来の上下方向の厚さ（レール溝２aの支持壁２０部分の上下方向の高さ）の約１/２寸法ほどレール部２Ａ側に凹んだ断面鉤状の機能板嵌合用の凹部３０により形成されている。
【００４６】
そして、この機能板嵌合用の凹部３０部分には、中板５の下部側に重合される形で設けられた調湿、抗菌、防カビ等の機能を有する機能板（例えば、珪酸カルシウム板等をベースに天然鉱物のバーミキュライト、珪藻土などを配合した調湿性にすぐれた所定の厚さの板材）８の前端部８a側の幅広い部分の前端面および上面が嵌合当接されるようになっている。
【００４７】
この機能板嵌合用の凹部３０の前端部下端（前端側レール溝２aの支持壁２０の下端）部分には、さらに上部側断面鉤状の機能板嵌合用の凹部３０の凹部面とともに断面コの字状の機能板嵌合部３０aを形成する機能板支持片３０ｂが所定の長さ後方に延びて設けられており、当該機能板嵌合用の凹部３０の断面鉤状の凹部面に内接された状態で、上記前端側レール溝２aの支持壁２３の下部部分まで延設された上記機能板８の前端部８aの前端をシール状態で確実に嵌合固定して支持するようになっている。
【００４８】
この場合、中板５は、例えば食器棚本体の左右両側板６ａ，６ｂ部分に設けられたダボ３，３・・・によって食器棚本体に支持固定されているが（図示省略）、機能板８は、上記のように、その前端部８ａの前端が上記のようにレール部材２の前端側まで延びる機能板支持部３０の機能板嵌合部３０aによって支持され、後端部側１ケ所のみがダボ等で支持される。
【００４９】
したがって、第１の従来例（図６）のように、左右の両側板６ａ，６ｂの２ケ所にダボ等で係止する必要がなくなり、その取り付け構造、取り付け作業が共に簡単になる。
【００５０】
しかも、この場合においても、上記レール部材２の前端部（前面側突状の端部）から上記機能板嵌合部３０aを形成する機能板支持片３０ｂまでのレール部材２の下面部２Cは、先に述べた２の従来例（図７）のものと同様の円弧状に曲成した傾斜面となっている。したがって、レール部２Ａ上に上方から下方に向けて作用する引戸１Ａ，１Ｂの荷重は、同傾斜面を介して水平方向（上記中板５および機能板８の方向）に分散されるようになり、レール部材２の支持剛性がアップする。
【００５１】
また、同様に、上記レール部材２部分を前方から見た時に、やはり見えるのは上記のような傾斜面を備えた金属製のレール部材２のみであり、中板５や機能板８の前端部は確実にカバーされるとともに、全体として丸味を帯びたソフトなイメージを与えることができる。また、上下方向の厚みを感じさせないようになる。
【００５２】
そして、以上のようにして、レール部材２とともに中板５、機能板８が食器棚本体に取り付けられると、同取り付け状態において、レール部２Ａのレール溝２ａ，２ｂ上には、左右一対の引戸１Ａ，１Ｂが合成樹脂製ローラ９ａ，９ｂ、９ａ，９ｂを介して走行可能に係合される。
【００５３】
この場合、食器棚本体の上板６ｃの前端部下面側にも凹状のレール溝１０ａ，１０ｂが設けられており、同レール溝１０ａ，１０ｂに対しても合成樹脂製ローラ１４ａ，１４ｂを介して上記引戸１Ａ，１Ｂの上端側が走行可能に係合される。
【００５４】
なお、図１、図２中の符号１２ａ，１２ｂは、上記調理器具収納部Ｂの背面板６ｅ側に設けられたコンセント、１２ｃ，１２ｄは、電源コードの通し穴である。
【００５５】
以上のように、この実施の形態に係る食器棚用のレール部材２では、機能板８の前端部８aを嵌合支持する機能板支持部２Ｄを、レール部材２の後端側下部から前端側下部に亘って延びる断面鉤状の機能板嵌合用の凹部３０と、該機能板嵌合用の凹部３０の前端部下端にあって、上部側断面鉤状の機能板嵌合用の凹部３０の凹部面とともに断面コの字状の機能板嵌合部３０ａを形成する機能板支持片３０ｂとから構成し、上記機能板８の前端部８ａを上記機能板嵌合用の凹部３０の断面鉤状の凹部面に内接させて上記レール部材２の前端側まで延設し、同前端側で上記機能板嵌合部３０ａ内に嵌合固定することにより支持している。
【００５６】
このような構成によると、レール部材２が、その後端側上部のレール部材取り付け部２Ｂによって、中板５に対して中板５の前端部５ａの前端面および前端部５ａの上面を覆う状態で確実に取り付けられるとともに、同取り付け状態において、その後端側下部から前端側下部に亘って延びる断面鉤状の機能板嵌合用の凹部３０の凹部面と同凹部面の前端側下部に設けられた機能板支持片３０ｂによって、調湿機能を有する機能板８の前端部８a側を中板５の前端部５aの下面からレール部材２の前端側下面まで十分に長く延設した状態で確実に嵌合支持するようになる。
【００５７】
その結果、従来だと結露が生じていたレール部材２の下面部が調湿機能のある機能板８によって殆どカバーされ（レール溝２aの下部側支持壁２０の下部側部分まで）、確実に結露が生じないようになる。また、中板５に対するレール部材２の取り付け状態、レール部材２に対する機能板８の取り付け状態がより安定するとともに、中板５の下面およびレール部材２の下面に対する機能板８自体の取り付けも容易になる。
【００５８】
また、同構成の場合、第２の従来例（図７）のものに比べて、機能板８の前端部８aがレール部材２の前端側に長く突出するが、同前端側に突出する機能板８は、レール部材２の下部に上方に窪んで形成された断面鉤状の機能板嵌合用の凹部３０内に嵌合される形でレール部材２の下部に支持されているので、レール部材取り付け部２Ｂによって中板５の前端部５ａがカバーされることはもちろん、機能板嵌合用の凹部３０によって機能板８の前端部８ａがカバーされ、従来同様に前方からは全く見えないようになる。見えるのは、レール部材２の前端部およびその下面部２ｃ部分のみとなる。
【００５９】
また、機能板嵌合用の凹部３０の前端部下端には機能板８の前端部８aの前端下面を嵌合支持する機能板支持片３０ｂが設けられていて、機能板嵌合用の凹部３０の嵌合用凹部面とともに断面コの字状の機能板嵌合部３０aを形成して、機能板８の前端部８ａの前端を確実に嵌合するので、機能板８の前端部８ａの前端が確実にシールされ、調理器具収納部１Ｂ側からの蒸気が中板５との間の隙間に入り込むこともない。
【００６０】
また、機能板嵌合用の凹部３０が上方側に断面鉤状に窪んでレール部材２の後端側から前端側まで延設されていることから、同機能板嵌合用の凹部３０の容積分だけレール部材２の金属素材量を少なくすることができ、レール部材２のコストダウンを図ることができる。
【００６１】
また、その結果、機能板嵌合用の凹部３０を設けたレール部材２部分の上下方向の厚みを小さくすることができ、各レール溝２ａ,２ｂ下部部分の支持壁２３,２４（特に支持壁２４）の長さを短くすることができ、また同時に、それらによって区画されている内部空間２１ａ、２１ｂの容積も小さくすることができるので、レール部材２の剛性がアップして振動が生じにくくなるとともに、同内部空間２１ａ、２１ｂを共鳴空間とする引戸１Ａ，１Ｂ走行時の騒音（共鳴音）も生じにくくなる。
【００６２】
特に、この実施の形態の構成の場合、上記走行時の振動が生じやすいレール溝２a,２ｂおよび該レール溝２a,２ｂを支持する支持壁２３,２４の下部側（レール部２Ａの下面部側）に位置して断面鉤状の機能板嵌合用の凹部３０を設け、同嵌合用の凹部３０内に調湿性のある機能板８を嵌合（内接）することによって、レール溝２a,２ｂおよびレール溝２a,２ｂ支持用の支持壁２３,２４の下部側（レール部２Ａの下面部側）を広い面積に亘って密着状態で支持している。したがって、機能板８が振動吸収材、吸音材としても有効に機能し、非常に走行音の低いレール構造を実現することができる。
【００６３】
また、機能板８は一般に所定値以上の厚さを有することから、嵌合された機能板８そのものが中板５とともにレール部材２下部側の支持部材としても有効に機能するようになり、レール部材２の剛性補強機能をも発揮する。そのため、レール部材２の板厚を可能な限り薄くすることも可能となり、薄くしても上述のように走行音を発生しにくいことから、この点でもレール部材２の材料コスト低減に寄与することができる。
【００６４】
これらの結果、この実施の形態に係る食器棚用のレール部材によると、従来の食器棚用のレール部材同様のデザイン性、機能性、組付性を備えながら、しかもレール部材下面部における結露の発生を回避し、金属材料の使用量を減らし、さらには走行時の走行音をも生じさせない、高品質の食器棚用のレール部材を低コストに提供することができるようになる。
【符号の説明】
【００６５】
１Ａ，１Ｂは引戸、２はレール部材、２Ａはレール部、２Ｂはレール部材取り付け部、２Ｃはレール部材２の前端側下面部、２Ｄは機能板支持部、２ａ，２ｂはレール溝、４はビスネジ、５は中板、６ａ，６ｂは食器棚本体の側板、６ｃは食器棚本体の上板、６ｄは食器棚本体の底板、７はビス穴、２１は縦壁部、２２は上片部、２３はレール溝２ａの支持壁、２４はレール溝２ｂの支持壁、３０は機能板嵌合用の凹部、３０ａは機能板嵌合部、３０ｂは機能板嵌合支持片である。
【図１】
0006577236.tif 000002
【図２】
0006577236.tif 000003
【図３】
0006577236.tif 000004
【図４】
0006577236.tif 000005
【図５】
0006577236.tif 000006
【図６】
0006577236.tif 000007
【図７】
0006577236.tif 000008